(57)【特許請求の範囲】
【請求項１】
座盤上に取付けられたベースシリンダと、該ベースシリンダのラム上端に取付けられたベース板と、前記ベースシリンダの上端に取付けられた固定部材と、該固定部材に取付けられた座部シリンダと、前記固定部材に取付けられ前記座部シリンダの外周面に形成された少なくとも２個以上の溝に係合されるローラと、前記ベース板に形成された孔を貫通する前記座部シリンダのラム上端に取付けられた座部板と、該座部板の裏面より垂下され前記ベース板に形成されたガイド受けを貫通するガイド材と、前記座部板の前方の一端が固定され他端が前記ベース板に取付けられた巻きバネに接続された隠しシートとより構成したことを特徴とする椅子の昇降装置。
【請求項２】
前記座部シリンダと、該座部シリンダ内を移動するラムとの間に、該ラムを常時下降方向にバネ付勢するスプリングを介在し、座部シリンダの油を抜いた時の前記スプリングのバネ力によって下降速度を早めるようにしたことを特徴とする請求項１記載の椅子の昇降装置。
【発明の詳細な説明】
【０００１】
【発明の属する技術分野】
本発明は椅子、特に、理美容椅子の座部を背凭れと共に昇降可能で、かつ、座部のみを昇降可能とした椅子の昇降装置に関する。
【０００２】
【従来の技術】
従来、この種の椅子の昇降装置としては、背凭れと一緒に座部（すなわち椅子全体）を昇降する場合に、該椅子全体がを昇降するためのシリンダに対して座部のみを昇降するシリンダが回転しないようにガイド部材を取付けていた。また、座部のみを上昇させた後の下降を、座部の重量と補助用スプリングのバネ力によって行っているが、該スプリングは外部に露出した状態で配置されていた。
【０００３】
【発明が解決しようとする課題】
このような従来例にあっては、回転防止用のガイド部材が必要となることから、部品点数が増えて製造工程が増えて作業性が悪く不良品の発生も多いという問題があった。また、座部を下降させるための補助用スプリングが露出しているため、毛髪等のゴミが付着して昇降動作に支障をきたすといった問題もあった。
【０００４】
本発明は前記した問題点を解決せんとするもので、その目的とするところは、座部を昇降するためのシリンダが椅子全体を昇降させるためのシリンダに対して回転しないようにするための固定手段を、両シリンダを連結するための固定部材内に組み込んで一体化し、部品点数の削減を図ることによって製造工数の簡素化を図り、また、補助スプリングを座部のみを昇降させるためのシリンダ内に組み込んでスムーズな昇降が行われるようにすると共に毛髪等のゴミがスプリングに付着しないようした椅子の昇降装置を提供せんとするにある。
【０００５】
【課題を解決するための手段】
本発明の椅子の昇降装置は前記した目的を達成せんとするもので、その手段は、座盤上に取付けられたベースシリンダと、該ベースシリンダのラム上端に取付けられたベース板と、前記ベースシリンダの上端に取付けられた固定部材と、該固定部材に取付けられた座部シリンダと、前記固定部材に取付けられ前記座部シリンダの外周面に形成された少なくとも２個以上の溝に係合されるローラと、前記ベース板に形成された孔を貫通する前記座部シリンダのラム上端に取付けられた座部板と、該座部板の裏面より垂下され前記ベース板に形成されたガイド受けを貫通するガイド材と、前記座部板の前方の一端が固定され他端が前記ベース板に取付けられた巻きバネに接続された隠しシートとより構成したものである。
【０００６】
また、前記座部シリンダと、該座部シリンダ内を移動するラムとの間に、該ラムを常時下降方向にバネ付勢するスプリングを介在し、座部シリンダの油を抜いた時の前記スプリングのバネ力によって下降速度を早めるようにすることが望ましい。
【０００７】
【発明の実施の形態】
以下、本発明に係る椅子の昇降装置の実施の形態を図面と共に説明する。
【０００８】
１は床面に固定された台座、２は該台座１に対して回動自在で、かつ、ロック可能に取付けられた台盤にして、後方に配置されたペダル１ａを踏むことにより台座の回転およびロックが行えるようになっている。
【０００９】
３は油圧式のベースシリンダにして、下端が前記台盤２に取付けられ、該ベースシリンダ３のラム３ａの上端には台板４ａを介してベース板４が取付けられている。このベース板４には背凭れ５および肘掛け６が取付けられている。なお、背凭れ５は図示しない油圧シリンダによって起伏可能に構成されている。
【００１０】
７は前記ベースシリンダ３の上端に固定された固定部材、８は該固定部材７に上端が嵌入された油圧式の座部シリンダにして、該座部シリンダ８のラム８ａは前記ベース板４に形成された孔４ｂを貫通して突出し、上端に座部９ａを有する座部板９が取付けられている。この座部シリンダ８の内周面とラム８ａの外周面との隙間にはスプリング１０が挿入されており、常時、ラム８ａを押下する方向にバネ付勢している。
【００１１】
また、前記固定部材７の前記座部シリンダ８に対向する内周面には少なくとも2 個以上（図示は3 個）のローラ１１が座部シリンダ８の外周面に形成された溝８ａ1 との間に介在されていおり、座部シリンダ８が台盤２に対して回転しないように構成されいてる（図３参照）。なお、この状態にあっては、ラム８ａは座部シリンダ８に対して回転可能な状態となっている。
【００１２】
１２は前記座部板９の下面に垂下固定されたガイド材にして、前記ベース板４に形成されたガイド受け４ｃ内に挿入されている。従って、座部板９が取付けられたラム８ａは座部シリンダ８に対して回転不能な状態となり、かつ、ベースシリンダ３は台盤２に固定されているので、座部９ａ（座部板９）はベースシリンダ３に対して回転することはない。そして、椅子全体を回転するためには、台盤２を台座１に対して回転することにより行えるものである。
【００１３】
１３は前記ベース板４の前後方向の略中央における両端に取付けられた巻きバネ、１４は該巻きバネ１３の自由端側に一端が取付けられた隠しシートにして、他端は座部板９の前方に取付けられている。そして、隠しシート１４は前記座部板９の前方に軸支されたローラ９ｂと前記ベース板４の前方に軸支されたローラ４ｄとを捲回している。
【００１４】
次に前記した構成に基づいて動作を説明する。
【００１５】
図１、図６に示す椅子が下降位置にある状態、すなわち、ベースシリンダ３および座部シリンダ８のラム３ａ，８ａがそれぞれ前記各シリンダ３，８内に収容されている状態では、座部シリンダ８はローラ１１によって固定部材７を介して座盤２に固定されたベースシリンダ３に対して固定状態となっている。
【００１６】
一方、座部シリンダ８のラム８ａは座部シリンダ８に対して回転可能な状態であるが、該ラム８ａに固定されている座部板９は、該座部板９に取付けられているガイド材１２がベース板４のガイド受け４ｃでガイドされているので、座部板９がベース板４に対して固定状態となり、従って、ラム８ａの回転は不能な状態となっている。よって、座部９ａを回転させるために、台盤２をペダル２ａを踏み込んで台座１に対して回転することにより行える。
【００１７】
前記した状態において、座部９ａに着座する被施術者が子供等の座高の低い人の場合は、座部９ａのみを上昇させる必要がある。すなわち、前記した座部９ａが下降位置にあると、着座している被施術者の頭部が背凭れ５より上方に出なくなって施術者による施術がやりにくくなるためである。以下、座部９ａのみを上昇させる動作について説明する。
【００１８】
この場合には、図２、図４、図７に示す如く、座部シリンダ８に対して油を供給することにより、ラム８ａはベース板４の孔４ｂを通過して上昇を開始する。従って、座部板９のみが椅子本体（背凭れ５および手摺り６）に関係なく上昇を開始するので、座部９ａは上昇する。
【００１９】
この座部板９が上昇を開始すると、該座部板９の先端に一端が固定された隠しシート１４が巻きバネ１３のバネ力に抗して引っ張られるので、ベース板４と座部板９との間にできる椅子本体の前面側の隙間を隠し、着座している被施術者の足が前記隙間に入り込むのを防止できると共に見栄えを良くしている。なお、被施術者が子供等の身長の低い人の場合、足下部が座部９ａより垂れ下がり不安定な姿勢となるので、このような場合には図２の前垂れ１５を図示しないシリンダによって水平状態とすることが望ましい。
【００２０】
前記した座部９ａが上昇した位置から座部９ａを下降させるには、座部シリンダ８内の油を抜くことにより、座部９ａの重量と被施術者の体重によって下降を開始するが、座部９ａと被施術者の体重（身長の低い人の体重は軽い）のみでは油抜けが遅いので、本発明にあっては、座部シリンダ８とラム８ａとの隙間にラム８ａを下降させる方向のスプリング１０が挿入されているので、該スプリング１０によって速やかに座部９ａは下降し、ラム８ａが座部シリンダ８内に完全に収容された状態で停止する。
【００２１】
次に、施術者による施術中において、施術者の身長等によって椅子本体を上昇させる場合についての動作を説明する。
【００２２】
この場合には、図８に示す如く、ベースシリンダ３に対して油を供給するとことにより、ラム３ａが上昇するのでベース板４が上昇する。該ベース板４が上昇することにより、該ベース板４に取付けられている背凭れ５および手摺り６も上昇する。
【００２３】
一方、ベース板４が上昇すると該ベース板４の上面に位置する座部板９も一緒に上昇するので、背凭れ５、手摺り６と共に座部９ａも上昇し、従って、椅子全体が上昇することとなる。また、椅子全体が上昇した状態において、座部シリンダ８に油を供給することにより、座部９ａがさらに上昇することとなる。
【００２４】
そして、上昇している椅子全体を下降させるには、ベースシリンダ３内の油を抜くことにより、椅子全体の重量（座部９ａのみの重量に比較して相当重い）と被施術者との体重とによって速やかに下降を開始し、ラム３ａがベースシリンダ３内に完全に収容された状態で停止する。
【００２５】
【発明の効果】
本発明は前記したように、座盤上に取付けられたベースシリンダと座部シリンダとを固定部材によって一体化し、座部シリンダが回転しないようにし、かつ、前記ベースシリンダのラムに取付けられたベース板に対して前記座部シリンダの座部板が回転しないようにしたので、部品点数の削減によって製造工数の簡素化が図れるものである。
【００２６】
また、前記座部シリンダとラムとの間に、該ラムを下降方向にバネ付勢するスプリングを介在し、座部シリンダの油を抜いた時の前記スプリングのバネ力によって下降速度を早めるようにしたので、スムースな下降が行われ、かつ、毛髪等のゴミがスプリングに付着するのを防止できる。
【００２７】
さらに、座部板とベース板との間隔が広がると隠しシートが座部板とベース板との隙間を覆うようにしたので、着座している被施術者の足が前記隙間に入り込むのを防止できると共に見栄えを良くできる等の効果を有するものである。
【図面の簡単な説明】
【図１】本発明に係る椅子の昇降装置を示す側面図である。
【図２】同上の座部のみが上昇した状態の側面図である。
【図３】図１の平面図である。
【図４】図１の正面図である。
【図５】昇降機構部分の正面図である。
【図６】昇降機構部分の下降状態を示す側面図である。
【図７】同上の座部のみを上昇させた状態の側面図である。
【図８】図６における椅子全体を上昇させた状態の側面図である。
【符号の説明】
１          台座
２          台盤
３          ベースシリンダ
３ａ        ラム
４          ベース板
７          固定部材
８          座部シリンダ
８ａ        ラム
９          座部板
１０        スプリング
１１        ローラ
１２        ガイド材
１３        巻きバネ
１４        隠しシート
【図１】
0003726008.tif 000002
【図２】
0003726008.tif 000003
【図３】
0003726008.tif 000004
【図４】
0003726008.tif 000005
【図５】
0003726008.tif 000006
【図６】
0003726008.tif 000007
【図７】
0003726008.tif 000008
【図８】
0003726008.tif 000009